(57)【要約】      （修正有）【課題】水質改善・改質を目的とする浄水器などに用いられるセラミックス玉やフィルターの問題点である耐用期間・期限等を無くした様々な形態を持った自然素材から成る特殊波動素材を提供する。【解決手段】従来に無い小規模なスペースの入れ物１の中で、より少ない量の自然素材から成る特殊波動素材を、効率的に配置・配列もしくは調合することにより、入れ物１の中へ注がれた水又は水溶液などの固有クラスター（粒子の大きさを意味）を、本来のクラスターへ限りなく戻したり、又は、それ以上に細かいクラスターに改善・改質する事などが可能となる。【選択図】図１
2008012509.tif 000002
【特許請求の範囲】
【請求項１】
本発明は近年に様々な箇所や場面にて排泄される様々な生活生ゴミや、生活ゴミなどにより、あちらこちらの河川・池・湖沼・海などの水質が著しく悪化しています。
そこで、わが国では古式豊な知恵と巧みを生かした道具の一つとして、本発明では、蹲（つくばい）などの入れ物を使った発明を提案致しました。本発明で登場する自然素材から成る特殊波動素材とは、特殊波動石の事を意味しております。（そして特殊波動石とは、発明家の藤原喜将がこれまでに研究開発の、波動的なエネルギー効能・効果・効率等が他の波動素子や波動素材等と比較し、特別、格段に優れた石素材です。例えばトルマリンなどの様に外部からの衝撃やエネルギーなどを受ける事で、波動的なエネルギーを外部へ発射する仕組みとは異なり、常に自然的な状態でも波動的なエネルギーを放出します。更に、外部からの衝撃やエネルギーなどを受ける事で、より一層の波動的なエネルギーの放出をもたらす特殊な石や岩盤などの事です。）を意味しています。以後の説明には簡略して特殊波動石の事を特殊波動素材と表現して本文の説明に使って参ります。本発明は、（［図１］から［図３］）の（１）特殊波動素材を活用した入れ物の本体へ、（［図１］から［図３］）の（３）特殊波動素材を活用した入れ物を掘り起こした境界面、そして［図４］の（１０）、［図５］の（１２）［図６］の（１３）などの境界面へ、（［図１］から［図６］）の（２）特殊波動素材を細かく砕いた素子を入れて置きます。そして、（［図１］から［図６］）の（５）の特殊波動素材及び樹脂などを活用した入れ物の中へ注がれた水又は、水溶液などが揺れたり、移動又は、流動する事で（［図１］・［図２］・［図３］）の（２）特殊波動素材を細かく砕いた素子が細かく移動して、（［図１］から［図３］）の（１）特殊波動素材を活用した入れ物の本体と、そして［図４］の（１０）、［図５］の（１２）［図６］の（１３）などとが境界面でぶつかり合ったり、擦れ合ったりする事などで、極めて高い固有振動数＝固有振動周波数（Ｈｚ）が発生します。この固有振動周波数（Ｈｚ）が（［図１］から［図６］）の（５）の特殊波動素材及び樹脂などを活用した入れ物の中へ注がれた水又は、水溶液などが揺れたり、移動又は、流動する事で、水又は、水溶液などの固有クラスター（粒子の大きさを意味）が、本来のクラスターへ限りなく戻したり、又は、それ以上に細かいクラスターに改善改質をする事などが可能な発明です。又、この蹲（つくばい）へ、他からの流れ込んで来る水や水溶液などが、混入しても同等のクラスターに改善改質作用を期待する事が出来ます。本発明で申し上げた水又は、水溶液などとは、水を始めとした様々な（液状・液化・液体・水溶性液状物質・半固体状及び、半固体状＋半液体状）などの物質を意味しております。中には、気体状もしくは半気体状の液体状物質も、この定義に含む事と致します。又、ここへ出て来る［図４］の（１０）、［図５］の（１２）［図６］の（１３）特殊波動素材を四角の板状・丸い板状・立体的物体状にした物を、付けた入れ物と有りますが、この付けた入れ物と言う言葉の意味合いは、例えば練り込んだり、付着させたり塗りつけたり又は塗布をするなどと言った様々な手法から成る事を意味しております。
【請求項２】
本発明は、［図４］の（９）樹脂などで出来た入れ物へ、特殊波動素材を付けた入れ物の本体の部へ、［図４］の（１０）特殊波動素材を板状にした物の部（大きさや形状は特別に定めない事）を付けたりする事により、（［図１］から［図３］）の（１）特殊波動素材を活用した入れ物の本体を使う方式と比較して水又は、水溶液などの固有クラスターの改善効果は下がりますが、形状として固体状・粉体状更には様々な形態を持った、自然素材から成る特殊波動素材を節約する目的として考えた場合には、大変に効果的な発明と工夫です。更に、［図４］の（１１）樹脂などで出来た入れ物を掘り起こした境界面の部へ、［図４］の（１０）特殊波動素材を板状にした物の部と同様の特殊波動素材を四角の板状にした物を付けたりする事で、より一層に水又は、水溶液などの固有クラスターの改善効果を計る事が期待できる発明です。又、［図５］の（１２）及び［図６］の（１３）の樹脂などで出来た入れ物へ、特殊波動素材を丸い板状及び、立体的物体状にした物を、付けた入れ物の本体の様に、形や形状等に付いて、特別な定めや固定的な概念を定める事を必要とせず、特殊波動素材の形や形状・質量等を変更する事で、水又は、水溶液などの固有クラスターの改善効果の度合いを変化させる事が可能な発明です。尚、（［図４］から［図６］）の（９）樹脂などで出来た入れ物へ、特殊波動素材を付けた入れ物の本体の部と表記を致しましたが、この材質は樹脂の他、木材・金属・紙類・その他にも様々な材質や質感を保有致す物質で有っても可能な発明です。本発明で申し上げた水又は、水溶液などとは、水を始めとした様々な（液状・液化・液体・水溶性液状物質・半固体状及び、半固体状＋半液体状）などの物質を意味しております。中には、気体状もしくは半気体状の液体状物質も、この定義に含む事と致します。
【発明の詳細な説明】
【技術分野】
【０００１】本発明は、従来の蹲（つくばい）と比較して、ただ単なる岩や樹脂などの素材を用いた物と比較して、形状が固体状・粉体状更には様々な形態を持った、自然素材から成る特殊波動素材を用いた為に、よどんだ水又は、水溶液などの固有クラスターの改善効果がより一層の期待できる、特殊な波動効果が発揮できる新たなる技術的な分野です。
更には、この入れ物は蹲（つくばい）だけに限らず、その他の形・形状が異なる入れ物などで有っても、よどんだ水又は、水溶液などの固有クラスターの改善効果を表す事が出来ます。
【背景技術】
【０００２】これまでの水質改善・改質には様々な製品や装置・機械などが世に出回って来ました。しかしながら、例えば、セラミックス玉などを生かした浄水器など、殆んどの製品や装置・機器などには、おおよその、限りとされた耐用期間・期限等が有りました。
しかしながら、この本発明に使われております、特殊波動素材には、限りとされた耐用期間・期限等が全くと言ってございません。簡単に申しますと、半永久的に波動効果が持続可能と言う事なのです。これまでの、セラミックス玉やフィルターなどと比較して、従来の様な取替え・交換等の操作などが全くと言って不要と成ります。限られた資源のわが国、そしてこの地球にて、この素材の開発と発明は、今後の地球の資源エネルギー的な観点からして、大変に効果的・効率的な背景が考えられる新らたなる技術です。【０００３】本発明は、水質改善・改質事業的な観点から見ても、大変に期待が考えられる発明です。そして、この水質改善・改質には、この他に様々な期待と希望が考えられます。
例えば、河川・池・湖沼・海などの水質が向上する事で、将来的には、可能性としては昭和３０代の海や河川などの綺麗な環境が蘇がえる事を期待が出来たり、水道水に含まれたカルキ（殺菌用の塩素）などが原因とするプールなどで、子供たちがゴーグルなどを施していても、眼が赤くなったり、皮膚障害などの人的障害の原因や結果的出来事が目立つ昨今です。この特殊波動素材を活用した本発明では、水又は、水溶液などの固有クラスターの改善・改質の効果、（水又は、水溶液など１粒当たりに対して、塩素分子粒が何個を必要とされる適合濃度が、水又は、水溶液など水粒の大きさが小型化する事で、塩素粒の絶対数が減ずる事により、塩素が持つ本来の毒性の作用を抑制する事が可能と成ります。）が期待できる事で、例えば水道水に含まれるカルキの殺菌効果などを減衰させる事が無く、又、カルキの濃度も減らす事が無く、人畜などに対して毒性が無力化が出来る事が可能と成ります。よって、例えば、人畜などの生態系の異変や遺伝子破壊などの改善に貢献が可能な発明です。もっと身近な表現をすれば、例えばカルキ（塩素）による皮膚障害や近年多くの問題と成っている、アトピー障害などの減少に繋がる事も可能な発明です。
【特許文献１】特開２００６−００８９６０良質な竹酢液を製造するには炭窯を構成する使用資材や窯内に投入する炭化材料の組合せが問題である。また、窯内空間の有効活用はマイナスイオンや遠赤外線の働【特許文献２】特開２００５−０００９０８ある種のエネルギーを放出し、空気中のイオンを負に荷電して空気を浄化するろ過網とこのろ過網を利用した車両の燃料の燃焼と排気の浄化を促す装置を提供する。【特許文献３】特開２００４−２２５６７９ガソリンエンジン及びディーゼルエンジンの燃費の向上及び排気ガスの減少。
【解決手段】
スパイラル形状の磁気テープに天然鉱石のパウダーを接着させ磁気、遠赤外線
【特許文献４】特開２０００−０８４５４８水質が著しく低下した水であっても、水質改善装置を使って該水質を改善していく。
【解決手段】
波動発生装置１と波動発生装置２と波動発生装置３、また波動発生装置
【特許文献５】特開２００２−１２８５６１この出願発明は、遠赤外線を放射する黒鉛ケイ石を含む陶磁器、特に陶器又は陶片により、人体に吸収・消化されやすい波動を帯びた良質の液体若しくはミネラル水に【特許文献６】特開２００２−０８８６４７サポーター、腹巻き、靴下、下着、帽子、手袋、シーツ、枕カバーなどのように身体に接触させて使用する繊維製品に関し、身体の健康維持、増進及び治療に有効と【特許文献７】特開２００１−０５４５５２従来のハリやお灸、指圧など直接物理的な刺激を与える方法ではなく持続する経穴、経路治療が可能な治療システムの提案
【構成】
遠赤外線を放射するセラミックスを、
【特許文献８】特開平１１−２５３５６１天然鉱石シリカブラックを粒径７ミクロン以下の粉末に粉砕し、これをシート状に加工することによって、シリカブラックのもつ生物体（主として人間）に対する高い【特許文献９】特開平０９−３１３６２６本発明は、健康促進と共に自律神経を安定させ、交感神経働きを抑制するマイナスイオンと有機化合物の吸収波長帯の遠赤外線を効率良く放射する遠赤外線及び【特許文献１０】特開２００２−０６６５４９池や湖沼やプール等の閉鎖水域或いは河川や用水路等の流動水域における水をより効果的に活性化して水自体の浄化能力を向上し、水質浄化する方法および装置を提供私どもからの意見書としまして、下記の文言を意見させて頂きました。
［特許文献１］特開２００６−００８９６０から［特許文献１０］特開２００２−０６６５４９迄の内容を、特許庁データベースより検索致しました。  そして、本発明と原理も仕掛けも全く異なる発明です。なぜなら、本発明は形状が固体状・粉体状更には様々な形態を持った、自然素材から成る特殊波動素材を自然体で使う。本発明の場合では、人為的な一切の操作などを施す事の無く、最も自然な活用を促す発明です。類似特許の検索を幾つも試みましたが、誰がどの様な観点から見ましても充分に、異なるかと存じますが、あえて、ここへ異なる点を申上げ致しました。
【発明の開示】
【発明が解決しようとする課題】
【０００４】本発明が解決しようとする課題は、一般的な商品の水質改善・改質を目的とする浄水器などには、本体の中へ大変に高額な、セラミックス玉やフィルターから成る構造で出来ております。そしてこれらの、セラミックス玉やフィルターにはおおよその、限りとされた耐用期間・期限等が有ります。しかしながら本発明で使われる、形状が固体状・粉体状更には様々な形態を持った、自然素材から成る特殊波動素材には、特別に限りとされた耐用期間・期限等が有りませんので、ひとたび使い始めますと半永久的に使う事が可能です。よって限られた資源のわが国を始めとして、全世界的に見ても循環型資源のリサイクルとしても、大変に優れた資源のリサイクル活用を考える大変に優れた発明です。
【課題を解決するための手段】
【０００５】本発明が課題とする解決の手段は、極めて限られた体積・容積・環境などの中で、従来に無い小規模なスペースの入れ物の中で、より少ない量の自然素材から成る特殊波動素材を、効率的に配置・配列もしくは、調合等によって仕上られた、（［図１］から［図６］）の（２）特殊波動素材を細かく砕いた素子が発する、極めて高い固有振動数＝固有振動周波数（Ｈｚ）が（［図１］から［図６］）の（５）の特殊波動素材及び樹脂などを活用した入れ物の中へ注がれた水又は、水溶液などが揺れたり、移動又は、流動する事により、水又は、水溶液などの固有クラスター（粒子の大きさを意味）が、本来のクラスターへ限りなく戻したり、又は、それ以上に細かいクラスターに改善改質をする事などが可能な発明です。
【発明の効果】
【０００６】これまでは、限られた敷地などで例えば、小さな池や限られた面積のプールなどへ塩素を混入する事で水質の悪化を防いで参りました。そこで本発明の効果としては、これまでの塩素がもたらす消毒効果や、塩素濃度を変化させず、人体への悪影響を無力化させる事が可能としたらどんなに素晴らしい発明でしょうか。そして、更に水質改善・改質を考えた発明でも有ります。もっとスケールを高め考えを進めて参りますと、末は全世界・全地球的な環境改善・改質へと発明の効果が予測されます。一人の個人的な考えからすれば、小さな貯め池程度もしくは、個人的な一戸のプールの水質改善程度で終わりますが、この考えを地域規模もしくは、それら以上の大きなグループ的事業と考えたりする事で、もっと大々的な水質事業の改善・改質を考えた場合、時には国家的規模の企画や事業として考えを展開して行く事で、末は全世界的、全地球的な環境改善・改質へと効果が考えられる発明です。  その上、塩素がもたらす人畜などへの悪影響を無力化が可能と成ったら、地球の未来の子供たちへ遺産として後継ぎが期待出来る発明です。
【発明を実施するための最良の形態】
【０００７】これまでは、限られた敷地などで例えば、小さな池や限られた面積のプールなどへ塩素を混入する事で水質の悪化を防いで参りました。水質改善・改質を考えた方法として、これまでに様々なシステムが考えられて参りましたが、本発明は人為的産物による、例えばＰＣＢ  ポリ塩化ビフェニル（Ｐｏｌｙｃｈｌｏｒｉｎａｔｅｄ  Ｂｉｐｈｅｎｙｌ）の略称で、炭素、水素、塩素からなる物質。（電気機器の絶縁油や熱媒体などに使用され、トランスなどにも活用されて来た）このＰＣＢが開発された頃は、大変に優れた素材として、もてはやされて参りましたが、近年では南極などの極地でペンギンの体内から沢山のＰＣＢが発見されたと言う白書など、大変な問題と課題をなげかけております。しかしながらこの本発明の特殊波動素材は、自然界から何らの人為的な操作が成される必要がなく、ただ単に形状や大きさなどを変えるだけで、科学的な操作や遺伝子的な操作など人為的な操作や過程などは一切施す事の無い、全くのクリーンな環境と常態で仕上る事が出来る発明です。昨今、近未来の脅威が色々な形で問題を取り上げられております。本発明はこれらの脅威から地球や人畜などを守り、地球規模の温暖化現象、環境破壊における危機から守る事が期待が可能です。これらの原理と理由そして訳などからして、ここへ本発明を実施するための最良の形態として掲げました。
【実施例１】
【０００８】本発明の実施例１としまして、老人ホーム・介護施設・病院や家庭などの水質改善・改質を考えた省エネ・エコロジーなアイテムとしての適用が考えられます。又、蹲（つくばい）などの、本体から聞こえて来るしずくの音（音色）、そして蹲（つくばい）などの、水などが外へ流れ出る時に聞こえて来る音（音色）などは、人々の心や精神などの癒しとして大変に効果が考えられます。
【実施例２】
【０００９】本発明の実施例２としまして、地球規模で水質改善・改質を考えたグッヅ、そしてアイテムとして、施設や建物などで人々が集まる場所。例えば、蹲（つくばい）など、癒しの効果を充分に期待が可能なアイテムに適用が考えられます。又、蹲（つくばい）と、ししおどし（鹿おどし）などを併用する事も推奨する実施例の一つです。
【実施例３】
【００１０】本発明の実施例３としまして、水道事業などで水質改善・改質を考えた、浄化装置・浄水装置などへの適用が考えられます。
【実施例４】
【００１１】本発明の実施例４としまして、一般的なプール・温水式プール・温泉・スーパー銭湯などの水を使った、公共的な施設・設備の水質改善・改質を充分に考慮する必要が考えられる場所などへの適用が考えられます。
【産業上の利用可能性】
【００１２】本発明は、産業上の利用可能性として、一つの可能性に、プール・温泉・スーパー銭湯・老人ホーム・介護施設・病院や家庭などへの適用が考えられます。更に（［図１］から［図６］）のデザインを色々と改善（一新）する事により、ファッションや美的感覚要素を重視した、グッヅとして地域や国家的な、一大プロジェクトシステム事業などへの利用・適用・採用などが充分に考えられます。
【図面の簡単な説明】
【００１３】
【図１】本発明の正面図（特殊波動素材を活用した入れ物の正面図）
【図２】本発明の側面図（特殊波動素材を活用した入れ物の側面図）
【図３】本発明の上面図（特殊波動素材を活用した入れ物の上面図）
【図４】本発明の正面図（樹脂などで出来た入れ物へ特殊波動素材を四角の板状にした物を、付けた入れ物の正面図）
【図５】本発明の正面図（樹脂などで出来た入れ物へ特殊波動素材を丸い板状にした物を、付けた入れ物の正面図）
【図６】本発明の正面図（樹脂などで出来た入れ物へ特殊波動素材を立体的物体状にした物を、付けた入れ物の正面図）
【符号の説明】
【００１４】（１）特殊波動素材を活用した入れ物の本体の部
（２）特殊波動素材を細かく砕いた素子の部
（３）特殊波動素材を活用した入れ物を掘り起こした境界面の部
（４）大地（地球）又は、本体入れ物を備え付けた場所の部
（５）特殊波動素材及び樹脂などを活用した入れ物の中へ注がれた水又は、水溶液の部
（９）樹脂などで出来た入れ物へ、特殊波動素材を付けた入れ物の本体の部
（１０）樹脂などで出来た入れ物へ、特殊波動素材を四角の板状にした物を、付けた入れ物の本体の部
（１１）樹脂などで出来た入れ物を掘り起こした境界面の部
（１２）樹脂などで出来た入れ物へ、特殊波動素材を丸い板状にした物を、付けた入れ物の本体の部
（１３）樹脂などで出来た入れ物へ、特殊波動素材を立体的物体状にした物を、付けた入れ物の本体の部
【図１】
2008012509.tif 000003
【図２】
2008012509.tif 000004
【図３】
2008012509.tif 000005
【図４】
2008012509.tif 000006
【図５】
2008012509.tif 000007
【図６】
2008012509.tif 000008